(57)【要約】      （修正有）【課題】歩いている間に足の裏をマッサージするマッサージインソールを提供する。【解決手段】インソール本体及び振動体２を備え、振動体が人のかかとに対向するインソール本体内に位置し、振動体が上部ハウジング２１、下部ハウジング２２及び弾性コンポーネントを備え、弾性コンポーネントが弾性シート２３、第１磁性体２４、第２磁性体２５及び第３磁性体２６を備え、弾性シートの一端がキャビティの内壁に接続され、他端が第１磁性体に接続され、第２磁性体及び第３磁性体がそれぞれ第１磁性体の上方及び下方に設置され、第２磁性体及び第３磁性体がそれぞれ第１磁性体に反発するように設置される。振動体の設置によって磁性体の同質であれば互いに反発する原理に基づき、スポーツするとき、弾性シートを往復振動させ、マッサージを実現することができる。【選択図】図３
0003224530.tif 000002
【実用新案登録請求の範囲】
【請求項１】
マッサージインソールであって、
インソール本体及び振動体を備え、前記振動体が人のかかとに対向するインソール本体内に位置し、
前記振動体が上部ハウジング、下部ハウジング及び弾性コンポーネントを備え、前記上部ハウジングが下部ハウジングと協働して内部にキャビティを有する構造を形成し、前記弾性コンポーネントが弾性シート、第１磁性体、第２磁性体及び第３磁性体を備え、前記弾性シートの両端が接続端及びフロート端であり、前記接続端がキャビティの内壁に接続され、前記フロート端がキャビティ内に宙吊りされ、前記第１磁性体がフロート端に設置され、前記第１磁性体が垂直に設置され、
前記第２磁性体及び第３磁性体がそれぞれ第１磁性体の上方及び下方に設置され、第２磁性体及び第３磁性体がそれぞれ第１磁性体に反発するように設置されることを特徴とするマッサージインソール。
【請求項２】
前記インソール本体が上から下まで表層、減衰層及び弾性層を備えることを特徴とする請求項１に記載のマッサージインソール。
【請求項３】
前記表層の材質が不織布であり、前記減衰層の材質がスポンジであり、前記弾性層の材質がＴＰＵであることを特徴とする請求項２に記載のマッサージインソール。
【請求項４】
前記表層に複数の通気孔が開設され、前記減衰層が透かし彫りの弾性材料であることを特徴とする請求項２に記載のマッサージインソール。
【請求項５】
前記弾性層の底部に収納溝が開設され、前記振動体が収納溝内に位置することを特徴とする請求項２に記載のマッサージインソール。
【請求項６】
前記インソール本体が更に被覆層を備え、前記被覆層が弾性層の下に覆われていることを特徴とする請求項５に記載のマッサージインソール。
【請求項７】
前記被覆層には複数の貫通孔が設置されることを特徴とする請求項６に記載のマッサージインソール。
【請求項８】
足の裏に対向する前記インソール本体の厚さがかかとに対向する位置のインソール本体の厚さより小さいことを特徴とする請求項１〜７のいずれか１項に記載のマッサージインソール。
【請求項９】
足の裏に対向する前記インソール本体に複数の換気孔路が開設され、
かかとに対向する前記インソール本体が内向きに凹んでいることを特徴とする請求項１〜７のいずれか１項に記載のマッサージインソール。
【請求項１０】
前記弾性コンポーネントが複数組あり、複数組の前記弾性コンポーネントの弾性シートが交錯して設置されていることを特徴とする請求項１〜７のいずれか１項に記載のマッサージインソール。
【考案の詳細な説明】
【技術分野】
【０００１】
本考案は、インソールの技術分野に関し、具体的に、マッサージインソールに関する。
【背景技術】
【０００２】
社会の急速な発展、生活のペースの加速化に伴い、人々のライフスタイルも大きく変化している。都市の交通が発達したため、出掛けがますます便利になり、人々が長時間歩いたり走ったりするチャンスが少なくなり、このため、足が効果的に鍛えられず、足の裏にある各臓腑器官に対応する反射領域及びつぼへの刺激が足りず、臓腑器官の機能が徐々に弱くなり、従って、人々の羸弱や、半健康等の問題を引き起こしてしまう。この問題に対して、人々は一般的に機械又は手動で足の裏をマッサージすることで、足の裏の複数の反射領域及びつぼを刺激し、これにより、臓腑器官の機能を強化するという目的を実現する。しかしながら、フットバス、マッサージ機等の機械でマッサージする手段は便利さに欠け、準備作業がより多く、足の裏をリアルタイムにマッサージできず、現代の人々の徐々に加速化した生活のペースに適応できず、それに対応して、手動で足の裏を長時間マッサージする費用がより高く、ほとんどの人が受け入れられない。
【考案の概要】
【考案が解決しようとする課題】
【０００３】
上記従来技術の欠点を解決するために、本考案の解決しようとする技術的問題は人が歩いている間に足の裏をマッサージするマッサージインソールを提供することである。
【課題を解決するための手段】
【０００４】
上記技術的問題を解決するために、本考案の技術案は以下のとおりである。
【０００５】
インソール本体及び振動体を備え、前記振動体が人のかかとに対向するインソール本体内に位置し、
前記振動体が上部ハウジング、下部ハウジング及び弾性コンポーネントを備え、前記上部ハウジングが下部ハウジングと協働して内部にキャビティを有する構造を形成し、前記弾性コンポーネントが弾性シート、第１磁性体、第２磁性体及び第３磁性体を備え、前記弾性シートの両端が接続端及びフロート端であり、前記接続端がキャビティの内壁に接続され、前記フロート端がキャビティ内に宙吊りされ、前記第１磁性体がフロート端に設置され、前記第１磁性体が垂直に設置され、
前記第２磁性体及び第３磁性体がそれぞれ第１磁性体の上方及び下方に設置され、第２磁性体及び第３磁性体がそれぞれ第１磁性体に反発するように設置されるマッサージインソールを提供する。
【考案の効果】
【０００６】
本考案の有益な効果は、弾性シート、第１磁性体、第２磁性体及び第３磁性体の設置によって磁性体の同質であれば互いに反発する原理に基づき、人がスポーツするとき、フロート端における第１磁性体を慣性の作用下で上下に往復振動させることができるとともに、第２磁性体及び第３磁性体の作用によって弾性シートを往復振動させて、接続端によって振動をインソール本体に伝達することができ、同時に、弾性シートの有する弾性位置エネルギーが該過程の実行を持続でき、更にマッサージを実現するということにある。
【図面の簡単な説明】
【０００７】
【図１】本考案の具体的な実施形態のマッサージインソールの構造模式図である。
【図２】本考案の具体的な実施形態のマッサージインソールの断面図である。
【図３】図２のＡ部分の拡大図である。
【考案を実施するための形態】
【０００８】
本考案の技術的内容、実現する目的及び効果を詳しく説明するために、以下に図面を参照しながら実施形態によって説明する。
【０００９】
図１〜図３に示すように、本考案のマッサージインソールはインソール本体１及び振動体２を備え、前記振動体２が人のかかとに対向するインソール本体１内に位置し、
前記振動体２が上部ハウジング２１、下部ハウジング２２及び弾性コンポーネントを備え、前記上部ハウジング２１が下部ハウジング２２と協働して内部にキャビティを有する構造を形成し、前記弾性コンポーネントが弾性シート２３、第１磁性体２４、第２磁性体２５及び第３磁性体２６を備え、前記弾性シート２３の両端が接続端及びフロート端であり、前記接続端がキャビティの内壁に接続され、前記フロート端がキャビティ内に宙吊りされ、前記第１磁性体２４がフロート端に設置され、前記第１磁性体２４が垂直に設置され、
前記第２磁性体２５及び第３磁性体２６がそれぞれ第１磁性体２４の上方及び下方に設置され、第２磁性体２５及び第３磁性体２６がそれぞれ第１磁性体２４に反発するように設置される。
【００１０】
上記説明によれば、弾性シート２３、第１磁性体２４、第２磁性体２５及び第３磁性体２６の設置によって磁性体の同質であれば互いに反発する原理に基づき、人がスポーツするとき、フロート端における第１磁性体２４を慣性の作用下で上下に往復振動させることができるとともに、第２磁性体２５及び第３磁性体２６の作用によって弾性シート２３を往復振動させて、接続端によって振動をインソール本体１に伝達することができ、同時に、弾性シート２３の有する弾性位置エネルギーが該過程の実行を持続でき、更にマッサージを実現する。
【００１１】
更に、前記インソール本体１が上から下まで表層１１、減衰層１２及び弾性層１３を備える。
【００１２】
更に、前記表層１１の材質が不織布であり、前記減衰層１２の材質がスポンジであり、前記弾性層１３の材質がＴＰＵ（Ｔｈｅｒｍｏｐｌａｓｔｉｃ  ｐｏｌｙｕｒｅｔｈａｎｅｓ）である。
【００１３】
前記ＴＰＵの名称が熱可塑性ポリウレタンエラストマーゴムである。
【００１４】
更に、前記表層１１に複数の通気孔が開設され、前記減衰層１２が透かし彫りの弾性材料である。
【００１５】
上記説明によれば、通気孔及び透かし彫りの弾性材料の減衰層１２によって換気及び復位を実現することができ、更に呼吸と同様の効果を実現する。
【００１６】
更に、前記弾性層１３の底部に収納溝が開設され、前記振動体２が収納溝内に位置する。
【００１７】
更に、前記インソール本体１が更に被覆層１４を備え、前記被覆層１４が弾性層１３の下に覆われている。
【００１８】
上記説明によれば、被覆層１４の設置によって振動部材を収納溝内に覆って、密閉をなすことができる。
【００１９】
更に、前記被覆層１４上に複数の貫通孔が設置される。
【００２０】
上記説明によれば、貫通孔の設置によって被覆層１４の変形・エネルギー吸収を便利にすることができる。
【００２１】
更に、足の裏に対向する前記インソール本体１の厚さがかかとに対向する位置のインソール本体１の厚さより小さい。
【００２２】
更に、足の裏に対向する前記インソール本体１に複数の換気孔路１５が開設され、  かかとに対向する前記インソール本体１が内向きに凹んでいる。
【００２３】
上記説明によれば、換気孔路１５の設置によって換気を実現するとともにインソール本体１の質量を軽減することができ、かかとに対向する位置が内向きに凹んでいる。
【００２４】
更に、前記弾性コンポーネントが複数組あり、複数組の前記弾性コンポーネントの弾性シート２３が交錯して設置されている。
【００２５】
上記説明によれば、複数組の弾性シート２３を交錯して設置することによって交錯して振動するように確保することができる。
【００２６】
実施例１
マッサージインソールは、インソール本体及び振動体を備え、前記振動体が人のかかとに対向するインソール本体内に位置し、
前記振動体が上部ハウジング、下部ハウジング及び弾性コンポーネントを備え、前記上部ハウジングが下部ハウジングと協働して内部にキャビティを有する構造を形成し、前記弾性コンポーネントが弾性シート、第１磁性体、第２磁性体及び第３磁性体を備え、前記弾性シートの両端が接続端及びフロート端であり、前記接続端がキャビティの内壁に接続され、前記フロート端がキャビティ内に宙吊りされ、前記第１磁性体がフロート端に設置され、前記第１磁性体が垂直に設置され、つまり、第１磁性体の２つの磁極の接続線が水平面に垂直に設置され、
前記第２磁性体及び第３磁性体がそれぞれ第１磁性体の上方及び下方に設置され、第２磁性体及び第３磁性体がそれぞれ第１磁性体に反発するように設置され、つまり、前記第２磁性体における第１磁性体に対向する磁極が第１磁性体における第２磁性体に対向する磁極と同じであり、前記第３磁性体における第１磁性体に対向する磁極が第１磁性体における第３磁性体に対向する磁極と同じである。
【００２７】
前記インソール本体が上から下まで表層、減衰層及び弾性層を備える。前記表層の材質が不織布であり、前記減衰層の材質がスポンジであり、前記弾性層の材質がＴＰＵである。
【００２８】
前記弾性層の底部に収納溝が開設され、前記振動体が収納溝内に位置する。
【００２９】
前記インソール本体が更に被覆層を備え、前記被覆層が弾性層の下に覆われており、前記被覆層上に複数の貫通孔が設置される。
【００３０】
足の裏に対向する前記インソール本体の厚さがかかとに対向する位置のインソール本体の厚さより小さい。足の裏に対向する前記インソール本体に複数の換気孔路が開設され、かかとに対向する前記インソール本体が内向きに凹んでいる。
【００３１】
前記弾性コンポーネントが３組あり、複数組の前記弾性コンポーネントの弾性シートが交錯して設置されている。
【００３２】
実施例２
マッサージインソールは、インソール本体及び振動体を備え、前記振動体が人のかかとに対向するインソール本体内に位置し、
前記振動体が上部ハウジング、下部ハウジング及び弾性コンポーネントを備え、前記上部ハウジングが下部ハウジングと協働して内部にキャビティを有する構造を形成し、前記弾性コンポーネントが弾性シート、第１磁性体、第２磁性体及び第３磁性体を備え、前記弾性シートの両端が接続端及びフロート端であり、前記接続端がキャビティの内壁に接続され、前記フロート端がキャビティ内に宙吊りされ、前記第１磁性体がフロート端に設置され、前記第１磁性体が垂直に設置され、
前記第２磁性体及び第３磁性体がそれぞれ第１磁性体の上方及び下方に設置され、第２磁性体及び第３磁性体がそれぞれ第１磁性体に反発するように設置される。
【００３３】
前記インソール本体が上から下まで表層、減衰層及び弾性層を備える。前記表層に複数の通気孔が開設され、前記減衰層がスポンジ材料である。
【００３４】
前記弾性層の底部に収納溝が開設され、前記振動体が収納溝内に位置する。
【００３５】
前記インソール本体が更に被覆層を備え、前記被覆層が弾性層の下に覆われており、前記被覆層上に複数の貫通孔が設置され、前記被覆層の材質がＴＰＵである。
【００３６】
足の裏に対向する前記インソール本体の厚さがかかとに対向する位置のインソール本体の厚さより小さい。足の裏に対向する前記インソール本体に複数の換気孔路が開設され、かかとに対向する前記インソール本体が内向きに凹んでいる。
【００３７】
前記弾性コンポーネントが３組あり、複数組の前記弾性コンポーネントの弾性シートが交錯して設置されている。
【００３８】
以上の説明は本考案の実施例であって、本考案の保護範囲を制限するためのものではなく、本考案の明細書及び図面の内容に基づいて行った等価置換、又は関連する技術分野に直接又は間接的に適用されるものは、いずれも本考案の保護範囲内に含まれるべきである。
【符号の説明】
【００３９】
１  インソール本体
１１  表層
１２  減衰層
１３  弾性層
１４  被覆層
１５  換気孔路
２  振動体
２１  上部ハウジング
２２  下部ハウジング
２３  弾性シート
２４  第１磁性体
２５  第２磁性体
２６  第３磁性体
【図１】
0003224530.tif 000003
【図２】
0003224530.tif 000004
【図３】
0003224530.tif 000005